(57)【要約】  この発明の紙幣処理装置１は、紙幣が表向きで送られているか、裏向きで送られているかを識別するための識別ユニット５と、送られてくる紙幣を順に積み重ねて集積するための帯封用集積部１５、１６と、前記帯封用集積部に所定枚数Ｎの紙幣が集積されると、そのＮ枚の集積紙幣をテープで結束するための帯封装置１７と、前記帯封用集積部に集積される第１枚目の紙幣が表向きで送られている旨の前記識別ユニットの識別情報に基づいて、前記帯封用集積部に集積される第Ｎ枚目の紙幣が表向きで積み重ねられるようにするＮ枚目の紙幣向き制御手段４０とを含んでいる。
2009118839.tif 000002
【特許請求の範囲】
【請求項１】
紙幣を処理するための紙幣処理装置であって、
紙幣が表向きで送られているか、裏向きで送られているかを識別するための識別ユニットと、
送られてくる紙幣を順に積み重ねて集積するための帯封用集積部と、
前記帯封用集積部に所定枚数Ｎの紙幣が集積されると、そのＮ枚の集積紙幣をテープで結束するための帯封装置と、
前記帯封用集積部に集積される第１枚目の紙幣が表向きで送られている旨の前記識別ユニットの識別情報に基づいて、前記帯封用集積部に集積される第Ｎ枚目の紙幣が表向きで積み重ねられるようにするＮ枚目の紙幣向き制御手段と、
を含むことを特徴とする、紙幣処理装置。
【請求項２】
前記紙幣処理装置は、送られる紙幣の向きを反転させる機構を有さない装置であって、
前記帯封用集積部の上流側に設けられた紙幣を一時収容するための一時保留部を有し、
前記紙幣向き制御手段は、前記帯封用集積部にＮ−１枚の紙幣が集積された後、前記識別ユニットの識別情報により前記帯封用集積部へ送られる紙幣が裏向きのときは、その裏向きに送られる紙幣は前記一時保留部に収容し、その後に表向きで送られる紙幣を前記帯封用集積部へ第Ｎ枚目の紙幣として集積させることを特徴とする、請求項１記載の紙幣処理装置。
【請求項３】
紙幣を処理するための紙幣処理装置であって、
紙幣が表向きで送られているか、裏向きで送られているかを識別するための識別ユニットと、
送られてくる紙幣を順に積み重ねて集積するための帯封用集積部と、
前記帯封用集積部に所定枚数Ｎの紙幣が集積されると、そのＮ枚の集積紙幣をテープで結束するための帯封装置と、
前記識別ユニットで識別された第１枚目の紙幣の向き情報に基づいて、前記帯封用集積部に集積される第Ｎ枚目の紙幣が第１枚目の紙幣と同じ向きで積み重ねられるようにするＮ枚目の紙幣向き制御手段と、
を含むことを特徴とする、紙幣処理装置。
【請求項４】
前記紙幣処理装置は、送られる紙幣の向きを反転させる機構を有さない装置であって、
前記帯封用集積部の上流側に設けられた紙幣を一時収容するための一時保留部を有し、
前記紙幣向き制御手段は、前記帯封用集積部にＮ−１枚の紙幣が集積された後、前記識別ユニットの識別情報により前記帯封用集積部へ送られる紙幣の向きが第１枚目の紙幣と一致しないときは、その紙幣を前記一時保留部に収容し、その後に第１枚目の向きと一致する向きで送られてくる紙幣を前記帯封用集積部へ第Ｎ枚目の紙幣として集積させることを特徴とする、請求項３記載の紙幣処理装置。
【請求項５】
前記Ｎ枚目の紙幣向き制御手段は、紙幣を送る搬送路にバイパス的に設けられ、送られる紙幣を反転させることのできる反転機構を含むことを特徴とする、請求項１または３記載の紙幣処理装置。
【発明の詳細な説明】
【技術分野】
【０００１】
この発明は、紙幣を所定枚数集積し、集積した紙幣を帯封する機構を有する紙幣処理装置に関し、特に、帯封後の紙幣束の表裏に位置する紙幣の向きを所望の向きにすることができる紙幣処理装置に関する。
【背景技術】
【０００２】
金融機関等においては、回収した紙幣を整理するために紙幣処理装置が用いられている。この種の紙幣処理装置は、回収された紙幣を入金口から装置内に取り込み、紙幣の種別を判別し、種別毎に紙幣を集積する。そして、予め定める種類（金種）の紙幣が、たとえば１００枚を集積単位として、帯封装置へ搬送され、テープによって紙幣束（１００枚の集積紙幣）に帯封される。なお、以下では、集積された紙幣に関し、帯封される前の状態にあるものを集積紙幣といい、帯封された後の状態にあるものを紙幣束という。【０００３】
たとえば、日本の紙幣では、人物像を含む面が表面とされ、その反対側の面が裏面とされる。つまり、人物像が見える状態における紙幣の向きが表向きとされ、人物像が見えない状態における紙幣の向きが裏向きとされる。そして、人物像が正立状態にある紙幣の向きが上向きとされ、倒立状態にある紙幣の向きが下向きとされる。
入金口に取り込まれる時点における複数の紙幣では、表裏および上下の向きが揃っていないのが一般的である。【０００４】
そのため、取り込んだ複数の紙幣の表裏および上下の向きを自動的に揃えることができる紙幣処理装置が提案されている（たとえば下記特許文献１参照）。
特許文献１に記載の紙幣処理装置では、取り込まれた紙幣の向きが上記４方向（表向き、裏向き、上向きおよび下向き）のいずれであるかが識別された後に、まず、第１の振り分け機構によって、取り込まれた紙幣が、表向きの紙幣からなる第１のグループと、裏向きの紙幣からなる第２のグループとに振り分けられる。そして、紙幣処理装置に設けられた表裏反転機構が、第１および第２のグループのうち、一方のグループにおける紙幣を、その表裏を反転してから、他方のグループの紙幣と合流させる。これにより、取り込まれたすべての紙幣の表裏が揃えられる。表裏が揃えられた紙幣は、第２の振り分け機構によって上向きのグループと下向きのグループとに振り分けられてから別々のスタッカ部に集積される。その後、上向きの集積紙幣と、下向きの集積紙幣とが、個別に帯封される。【０００５】
特許文献１に記載の紙幣処理装置では、比較的嵩張る表裏反転機構や複数のスタッカ部を備えるため、装置の大型化や製造コスト高が不可避である。また、取り込まれた全ての紙幣の向きを揃えるので、紙幣を取り込んでから帯封を終えるまでに時間がかかる。
ところで、紙幣束において、全ての紙幣の向きを揃えることは、必ずしも要求されない。たとえば、中国では、紙幣束において、表裏のどちらかの紙幣の向きが表向きであれば、それ以外の紙幣の向きが揃っていなくてもよい。つまり、紙幣束の最外方の紙幣だけが向きを要求されることがある。【０００６】
そこで、上述した表裏反転機構のような大掛かりな構成を用いることなく、紙幣束において表裏に位置する紙幣の向きを所望の向きにすることができると望ましい。
【特許文献１】特開２００１−３４８１０号公報
【発明の開示】
【発明が解決しようとする課題】
【０００７】
この発明は、上述のような背景技術のもとになされたものであり、簡易な構成によって、帯封後の紙幣束において表裏に位置する紙幣の向きを所望の向きにすることができる紙幣処理装置を提供することを目的とする。
【課題を解決するための手段】
【０００８】
この発明の紙幣処理装置（１）は、紙幣が表向きで送られているか、裏向きで送られているかを識別するための識別ユニット（５）と、送られてくる紙幣を順に積み重ねて集積するための帯封用集積部（１５、１６）と、前記帯封用集積部に所定枚数Ｎの紙幣が集積されると、そのＮ枚の集積紙幣をテープで結束するための帯封装置（１７）と、前記帯封用集積部に集積される第１枚目の紙幣が表向きで送られている旨の前記識別ユニットの識別情報に基づいて、前記帯封用集積部に集積される第Ｎ枚目の紙幣が表向きで積み重ねられるようにするＮ枚目の紙幣向き制御手段（４０）と、を含むことを特徴とする、紙幣処理装置である。【０００９】
なお、この項において、括弧内の英数字は、後述の実施形態における対応構成要素の参照符号を示すが、これらの参考符号により発明を限定する趣旨ではない。
上記の構成によれば、帯封用集積部では、送られてくる紙幣が順に積み重ねて集積され、所定枚数Ｎ（Ｎはたとえば１００）の紙幣が集積されると、そのＮ枚の集積紙幣は、帯封装置（１７）によってテープで結束されて紙幣束になる。【００１０】
ここで、識別ユニット（５）が、紙幣が表向きで送られているか、裏向きで送られているかを識別する。そして、帯封用集積部に集積される第１枚目の紙幣が表向きで送られている旨の識別ユニットの識別情報に基づいて、Ｎ枚目の紙幣向き制御手段（４０）が、帯封用集積部に集積される第Ｎ枚目の紙幣が表向きで積み重ねられるようにする。
つまり、Ｎ枚の紙幣からなる紙幣束では、１枚目およびＮ枚目の紙幣が紙幣束における表裏のどちらかに位置するので、帯封用集積部において第１枚目の紙幣が表向き、すなわち、紙幣束となったときに第１枚目の紙幣の裏面が見える場合には、第Ｎ枚目の紙幣が表向きで積み重ねられるようにするだけの簡易な構成によって、帯封後の紙幣束における表裏のどちらか一方に位置する紙幣を表向きにすることができる。よって、たとえば、中国の金融機関などが要求する紙幣束の作成処理に適合し、紙幣束の見映えの向上を図ることができる。【００１１】
また、この発明の紙幣処理装置（１）は、送られる紙幣の向きを反転させる機構を有さない装置であって、前記帯封用集積部の上流側に設けられた紙幣を一時収容するための一時保留部（１４）を有し、前記紙幣向き制御手段は、前記帯封用集積部にＮ−１枚の紙幣が集積された後、前記識別ユニットの識別情報により前記帯封用集積部へ送られる紙幣が裏向きのときは、その裏向きに送られる紙幣は前記一時保留部に収容し、その後に表向きで送られる紙幣を前記帯封用集積部へ第Ｎ枚目の紙幣として集積させる構成であってもよい。【００１２】
上記の構成によれば、紙幣向き制御手段は、帯封用集積部にＮ−１枚の紙幣が集積された後、第Ｎ枚目の紙幣として表向きの紙幣が搬送されてくるまでは、裏向きで搬送されてくる紙幣を集積せずに、一時保留部に収容する。そのため、送られる紙幣の向きを反転させる機構を有さずとも、簡易な構成によって、帯封用集積部において第Ｎ枚目の紙幣が表向きで積み重ねられるようにすることができる。【００１３】
また、この発明の紙幣処理装置（１）は、紙幣が表向きで送られているか、裏向きで送られているかを識別するための識別ユニット（５）と、送られてくる紙幣を順に積み重ねて集積するための帯封用集積部（１５、１６）と、前記帯封用集積部に所定枚数Ｎの紙幣が集積されると、そのＮ枚の集積紙幣をテープで結束するための帯封装置（１７）と、前記識別ユニットで識別された第１枚目の紙幣の向き情報に基づいて、前記帯封用集積部に集積される第Ｎ枚目の紙幣が第１枚目の紙幣と同じ向きで積み重ねられるようにするＮ枚目の紙幣向き制御手段（４０）と、を含むことを特徴とする、紙幣処理装置である。【００１４】
上記の構成によれば、帯封用集積部では、送られてくる紙幣が順に積み重ねて集積され、所定枚数Ｎの紙幣が集積されると、そのＮ枚の集積紙幣は、帯封装置（１７）によってテープで結束されて紙幣束になる。
ここで、識別ユニット（５）が、紙幣が表向きで送られているか、裏向きで送られているかを識別する。そして、識別ユニットで識別された第１枚目の紙幣の向き情報に基づいて、Ｎ枚目の紙幣向き制御手段（４０）が、帯封用集積部に集積される第Ｎ枚目の紙幣が第１枚目の紙幣と同じ向きで積み重ねられるようにする。【００１５】
つまり、Ｎ枚の紙幣からなる紙幣束では、１枚目およびＮ枚目の紙幣が紙幣束における表裏に位置するので、帯封用集積部において第Ｎ枚目の紙幣が第１枚目の紙幣と同じ向きで積み重ねられるようにするだけの簡易な構成によって、帯封後の紙幣束は、一方が表、他方が裏となる。よって、紙幣束の見映えの向上を図ることもできる。
また、この発明の紙幣処理装置（１）は、送られる紙幣の向きを反転させる機構を有さない装置であって、前記帯封用集積部の上流側に設けられた紙幣を一時収容するための一時保留部（１４）を有し、前記紙幣向き制御手段は、前記帯封用集積部にＮ−１枚の紙幣が集積された後、前記識別ユニットの識別情報により前記帯封用集積部へ送られる紙幣の向きが第１枚目の紙幣と一致しないときは、その紙幣を前記一時保留部に収容し、その後に第１枚目の向きと一致する向きで送られてくる紙幣を前記帯封用集積部へ第Ｎ枚目の紙幣として集積させる構成であってもよい。【００１６】
上記の構成によれば、紙幣向き制御手段は、帯封用集積部にＮ−１枚の紙幣が集積された後、帯封用集積部へ送られる紙幣の向きが第１枚目の紙幣と一致しないときは、その紙幣を一時保留部に収容し、その後に第１枚目の向きと一致する向きで送られてくる紙幣を帯封用集積部へ第Ｎ枚目の紙幣として集積させる。そのため、送られる紙幣の向きを反転させる機構を有さずとも、簡易な構成によって、帯封用集積部において第Ｎ枚目の紙幣が第１枚目の紙幣と同じ向きで積み重ねられるようにすることができる。【００１７】
また、この発明の紙幣処理装置（１）において、前記Ｎ枚目の紙幣向き制御手段は、紙幣を送る搬送路にバイパス的に設けられ、送られる紙幣を反転させることのできる反転機構（４５）を含む構成であってもよい。
上記の構成によれば、帯封用集積部にＮ−１枚の紙幣が集積された後、帯封用集積部へ送られる第Ｎ枚目の紙幣の向きが第１枚目の紙幣と一致しない裏向きであっても、反転機構（４５）によって、その紙幣を反転させ、その紙幣が帯封用集積部において第１枚目の紙幣と同じ表向きで積み重ねられるようにすることができる。これにより、表裏のどちらか一方に位置する紙幣が表向きとなる紙幣束をすばやく作成することができる。
【図面の簡単な説明】
【００１８】
【図１】この発明の一実施形態に係る紙幣処理装置の全体構成を示す図解的な縦断面構造図である。
【図２】Ｎ枚の集積紙幣（紙幣束）の模式図である。
【図３】この発明の一実施形態に係る紙幣処理装置の制御回路ブロック図であり、この発明の特徴と関連する部分のみを示すブロック図である。
【図４】図３に示す制御部４０において行われる制御動作の一例を示すフローチャートである。
【図５】紙幣処理装置に設けられる表裏反転機構を説明するための模式図である。
【符号の説明】
【００１９】
１    紙幣処理装置
５    識別ユニット
６    搬送路
１４  一時保留部
１５  帯封用集積部
１６  帯封用集積部
１７  帯封装置
４０  制御部
４５  表裏反転機構
Ｍ    集積紙幣
【発明を実施するための最良の形態】
【００２０】
以下には、図面を参照して、この発明の実施形態について具体的に説明する。
＜全体構成の概要説明＞
図１は、この発明の一実施形態に係る紙幣処理装置１の全体構成を示す図解的な縦断面構造図である。
この紙幣処理装置１は、銀行等に設置され、紙幣の出納管理を行うための現金出納機である。【００２１】
図１を参照して、紙幣処理装置１は、筐体２を有している。図１における左側が筐体２の正面であり、正面には、紙幣を入金するための入金口としてのホッパー３、開口部に開閉自在のシャッターを設けた出金口８、リジェクト紙幣排出口７、紙幣束出金口１８が備えられている。
筐体２内には、取り込み経路４と、識別ユニット５と、搬送路６と、５つの紙幣収納庫９（個別に区別するときは、左から順に９ａ、９ｂ、９ｃ、９ｄ、９ｅとする。）と、一時保留部１４と、２つの帯封用集積部１５、１６と、帯封装置１７とが内蔵されている。【００２２】
取り込み経路４は、ホッパー３にセットされた紙幣を１枚ずつ取り込み、搬送路６へと送るための経路である。
識別ユニット５は、搬送路６を搬送される紙幣の金種、正損、真偽等を識別したり、紙幣が表向きで送られているか裏向きで送られているかを識別したりするためのものである。【００２３】
搬送路６は、識別ユニット５で識別された紙幣を搬送するためのものであって、ループ状をなしており、搬送路６上の紙幣は、循環するように搬送され得る。そして、搬送路６の途中に、識別ユニット５が配置され、搬送路６での紙幣の搬送方向（図１における時計回りの方向）に見て、搬送路６における識別ユニット５の下流側には、分岐路２０、２１、２２、２３、２４、２５、２６、２７の各一端が、この順番で接続されている。【００２４】
分岐路２０の他端は、リジェクト紙幣排出口７または出金口８に接続されている。分岐路２１の他端は一時保留部１４に接続され、分岐路２２の他端は帯封用集積部１５または１６に接続されている。分岐路２３の他端は紙幣収納庫９ｅに接続され、分岐路２４の他端は紙幣収納庫９ｄに接続され、分岐路２５の他端は紙幣収納庫９ｃに接続され、分岐路２６の他端は紙幣収納庫９ｂに接続され、分岐路２７の他端は紙幣収納庫９ａに接続されている。【００２５】
ここで、搬送路６と分岐路２０〜２７のそれぞれとの接続位置には、分岐爪（図示せず）が設けられており、この分岐爪を切り換えることによって、搬送路６上の紙幣を所望の分岐路２０〜２７へ搬送することができる。
ホッパー３から入金された紙幣のうち、識別ユニット５においてリジェクト紙幣（損券、偽券等）と識別された紙幣は、搬送路６から分岐路２０へと搬送され、リジェクト紙幣排出口７へ排出される。【００２６】
ホッパー３から入金されたリジェクト紙幣以外の紙幣は、通常、分岐路２１を経て一時保留部１４に保留される。そして、入金が確定後、金種に応じて、分岐路２３〜２７のいずれかを経て紙幣収納庫９に収納される。また、各紙幣収納庫９に収納された金種別の紙幣は、各紙幣収納庫９から繰り出され、搬送路６から分岐路２２を経て帯封用集積部１５または１６へ与えられる。そして、金種別に集積された所定枚数（たとえば１００枚）の集積紙幣は、帯封装置１７で紙幣束にされ、紙幣束は、搬送ベルト３３で搬送され、紙幣束出金口１８へ出金される。【００２７】
一時保留部１４に保留された紙幣は、入金がキャンセルされた場合、搬送路６および分岐路２０を経て、出金口８から返却される。
以上説明した紙幣の流れ（整理のための紙幣の搬送）は、一般的な説明であり、以下に説明するように、紙幣処理装置１の設定内容を変更等することによって、紙幣を所望の態様で処理整理することができる。
＜紙幣の集積および帯封＞
以下には、この実施形態において行われる帯封用集積部１５、１６における紙幣の集積および帯封装置１７での帯封について説明する。【００２８】
帯封用集積部１５、１６のそれぞれには、集積板３２が設けられており、分岐路２２から帯封用集積部１５、１６に搬送されてきた紙幣は、各集積板３２に上から順に積み重ねて集積される。
そして、帯封用集積部１５、１６においてＮ枚（たとえば１００枚）の紙幣が集積されると、集積されたＮ枚の紙幣（集積紙幣Ｍという。）は、図示矢印で示すように、帯封装置１７へ搬送される。集積紙幣Ｍは、帯封装置１７において、テープ（図示せず）で結束（帯封）されて紙幣束となり、排出される。なお、帯封処理は、帯封用集積部１５の集積紙幣Ｍと、帯封用集積部１６の集積紙幣Ｍとで交互に行われる。【００２９】
図２は、Ｎ枚の集積紙幣（紙幣束）の模式図である。
図２を参照して、上述したように、帯封用集積部１５、１６のそれぞれでは、分岐路２２から送られてくる紙幣が、集積板３２に上から順に積み重ねられる。そのため、上述したＮ枚の集積紙幣Ｍでは、第１枚目の紙幣（最初に搬送されてきた紙幣）が集積板３２に直接載置された後に、第１枚目の紙幣の上に第２枚目以降の紙幣が順に積み重ねられ、第Ｎ枚目の紙幣は、集積紙幣Ｍにおいて、最上位に配置される。【００３０】
このように集積板３２に積み重ねられたＮ枚の集積紙幣Ｍが、上述したように帯封されて紙幣束Ｍとなり、上述した第１枚目および第Ｎ枚目の紙幣は、紙幣束Ｍにおける表および裏に位置することとなる。
ここで、この紙幣処理装置１（図１参照）は、ホッパー３から取り込まれた紙幣の表裏の向きを反転させる機構を有しておらず、ホッパー３にセットされた紙幣は、その向きのまま搬送されて集積される。【００３１】
ところで、例えば中国では、紙幣束Ｍは、表裏のどちらか一方の紙幣の向きが表向きでなければならないと決められている。言い換えれば、図２（１）に示すように、紙幣束Ｍの状態で、第１枚目の紙幣が裏向きになっていても、第Ｎ番目の紙幣が表向きになっていればよく、図２（２）に示すように、第１枚目の紙幣が表向きになっていれば、第Ｎ番目の紙幣の向きは表裏どちらでもよく、図２（３）に示すように第Ｎ番目の紙幣が裏向きになっていても構わない。【００３２】
このような紙幣束Ｍ（図２（１）〜（３）参照）を作成するために、この紙幣処理装置１では、帯封用集積部１５、１６での紙幣の集積に関し、後述する制御動作が実行される。
＜制御回路ブロック＞
図３は、この発明の一実施形態に係る紙幣処理装置１の制御回路ブロック図であり、この発明の特徴と関連する部分のみを示すブロック図である。【００３３】
図３に示すように、紙幣処理装置１には、マイクロコンピュータ等で構成された紙幣向き制御手段としての制御部４０が備えられている。制御部４０は、識別ユニット５から与えられる紙幣の識別情報に基づいて、搬送装置４１および帯封装置１７を制御する。ここで、搬送装置４１は、上述したように搬送路６と分岐路２０〜２７のそれぞれとの接続位置に設けられた分岐爪（図示せず）と、紙幣を搬送路６および分岐路２０〜２７において搬送するローラ（図示せず）とを含んでいる（図１参照）。つまり、制御部４０は、搬送装置４１に関し、分岐爪（図示せず）の切り換え、および、ローラ（図示せず）の駆動を制御する。【００３４】
また、制御部４０には、帯封用集積部１５、１６のそれぞれの集積板３２に集積された紙幣の枚数をカウントするための枚数カウンタＣが設定されている。
＜制御動作の一例＞
次に、紙幣束Ｍにおいて表裏のどちらかに位置する紙幣の向きを表向きにするための制御動作について説明をする。【００３５】
図４は、図３に示す制御部４０において行われる制御動作の一例を示すフローチャートである。
図４のフローチャートの流れに従い、図１〜図３を参照して説明する。なお、ここでは、入金のキャンセルはないものとする。
まず、紙幣処理装置１において入金があった場合（ステップＳ１でＹＥＳ）、制御部４０には、識別ユニット５から、入金された紙幣の識別情報が一枚毎に与えられる（ステップＳ２）。紙幣の識別情報とは、上述したように、紙幣の金種、正損、真偽等についての情報や、紙幣が表向きで送られているか裏向きで送られているかについての情報である。【００３６】
制御部４０は、識別ユニット５から与えられる紙幣の識別情報に基づいて、入金された紙幣を帯封するか否かを判断する（ステップＳ３）。例えば、１００元紙幣だけを選別して帯封すると設定されている場合は、１００元紙幣以外は帯封処理から外される（ステップＳ３でＮＯ）。
そして、制御部４０は、この紙幣がたとえば１００元紙幣であり、帯封すると判断した場合には（ステップＳ３でＹＥＳ）、枚数カウンタＣのカウント値を参照する（ステップＳ４）。カウント値が０の場合（ステップＳ４でＹＥＳ）、たとえば帯封用集積部１５の集積板３２に紙幣が１枚も集積されていない場合には、制御部４０は、この紙幣の識別情報のうちの表向きで送られているか裏向きで送られているかについての識別情報を、集積板３２にこれからＮ枚積み重ねられる集積紙幣Ｍにおける第１枚目の紙幣の情報として登録する（ステップＳ５）。【００３７】
次いで、制御部４０は、枚数カウンタＣのカウント値を再び参照する（ステップＳ６）。カウント値がＮ−１でない場合（ステップＳ６でＮＯ）、つまり、集積板３２に集積された紙幣の枚数がＮ−１枚まで到達していない場合、制御部４０は、搬送装置４１に、ステップＳ３において帯封すると判断した紙幣（たとえば１００元紙幣）を、帯封用集積部１５の集積板３２へと搬送させる（ステップＳ７）。これにより、集積板３２には、第１枚目の１００元紙幣が積まれる。そして、制御部４０は、１枚目の紙幣が乗ったことを記憶するため、枚数カウンタＣのカウント値をインクリメントする（この場合、枚数カウンタＣを０→１とする）（ステップＳ８）。【００３８】
ステップＳ４においてカウント値が０でない場合（ステップＳ４でＮＯ）、つまり、集積板３２に１００元紙幣が１枚以上集積されている場合には、制御部４０は、ステップＳ５の処理を行わず、引き続いて、ステップＳ６以降の処理を行う。
このようにして、集積板３２には、１００元紙幣が集積されていく。
そして、枚数カウンタＣのカウント値がＮ−１になった場合（ステップＳ６でＹＥＳ）、つまり、集積板３２に集積された１００元紙幣の枚数がＮ−１枚まで到達した場合、制御部４０は、第１枚目の１００元紙幣の識別情報を参照する（ステップＳ９）。【００３９】
第１枚目の１００元紙幣が表向きの場合（ステップＳ９でＹＥＳ）、紙幣束Ｍの一方には、第１枚目の紙幣の裏面が表われる（図２（１）参照）。そこで、紙幣束Ｍの少なくとも一方に紙幣の表面が表われるようにするためには、第Ｎ枚目の紙幣を表向きにしなければならない（図２（１）参照）。
そこで、Ｎ−１枚の紙幣が集積板３２に集積された後に続いて集積板３２に搬送されてくる紙幣が表向きの場合（ステップＳ１０でＹＥＳ）、制御部４０は、搬送装置４１に、この紙幣を、Ｎ枚目の紙幣として、帯封用集積部１５の集積板３２へと搬送させる（ステップＳ１２）。そして、制御部４０は、枚数カウンタＣのカウント値をクリアする（ステップＳ１３）。また、集積板３２にＮ枚の紙幣が集積されたので、制御部４０は、帯封装置１７に、Ｎ枚の集積紙幣の帯封を行わせる。【００４０】
一方、Ｎ−１枚の紙幣が集積板３２に集積された後に続いて集積板３２に搬送されてくる紙幣が表向きでない場合（ステップＳ１０でＮＯ）、制御部４０は、搬送装置４１に、この紙幣を、集積板３２でなく、紙幣の搬送方向において帯封用集積部１５より上流側の一時保留部１４（図１参照）へと搬送させ、一時保留部１４に一時的に収容させる（ステップＳ１１）。つまり、制御部４０は、集積板３２にＮ−１枚の紙幣が集積された後、Ｎ−１枚目の後から搬送されてくる紙幣の向きが裏向きのときは、その裏向きに送られる紙幣は一時保留部１４に収容し、集積板３２に集積させない。そして、表向きの紙幣が送られて来るまで紙幣を一時保留部１４に収容するという処理を続け、表向きの紙幣が送られてくると（ステップＳ１０でＹＥＳ）、制御部４０は、ステップＳ１２以降の処理を実施し、この紙幣を集積板３２へ第Ｎ枚目の紙幣として集積させる。【００４１】
ただし、第１枚目の紙幣が表向きでない場合（ステップＳ９でＮＯ）、第１枚目の紙幣の表面が紙幣束Ｍの一面として露出される（図２（２）および（３）参照）。よって、その場合は、第Ｎ枚目の紙幣（さらには第２枚目以降の紙幣）の向きは表裏のどちらでもよく、制御部４０は、ステップＳ１０およびステップＳ１１の処理を行わず、Ｎ−１枚の紙幣が集積板３２に集積された後に続いて集積板３２に搬送されてくる紙幣をそのまま集積板３２に集積させる（ステップＳ１２）。【００４２】
以上のように、制御部４０は、集積板３２に集積される第１枚目の紙幣が表向きで送られている旨の識別ユニット５の識別情報に基づいて、集積板３２に集積される第Ｎ枚目の紙幣が表向きで積み重ねられるようにＮ枚目の紙幣の向きを制御している（ステップＳ９〜Ｓ１２）。言い換えれば、制御部４０は、識別ユニット５で識別された第１枚目の紙幣の向き情報に基づいて、第Ｎ枚目の紙幣が第１枚目の紙幣と同じ向きで積み重ねられるようにしている。【００４３】
つまり、Ｎ枚の紙幣からなる紙幣束Ｍでは、１枚目およびＮ枚目の紙幣が紙幣束Ｍの表裏に位置するので、集積板３２において第Ｎ枚目の紙幣が第１枚目の紙幣と同じ表向きで積み重ねられるようにするだけの簡易な構成によって、帯封後の紙幣束Ｍにおける表裏のどちらか一方に位置する紙幣を表向きにすることができる（図２（１）参照）。そして、この場合、紙幣束Ｍにおける表裏のどちらか他方に位置する紙幣を裏向きにすることもできるので、紙幣束Ｍの見映えの向上を図ることもできる。【００４４】
特に、制御部４０は、集積板３２にＮ−１枚の紙幣が集積された後、集積板３２へ送られる紙幣の向きが第１枚目の紙幣と一致しない裏向きときは、その紙幣を一時保留部１４に収容し、その後に第１枚目の向きと一致する表向きで送られてくる紙幣を集積板３２へ第Ｎ枚目の紙幣として集積させる（ステップＳ１０およびＳ１１）。そのため、紙幣の向きを反転させる機構を有さずとも、簡易な構成によって、集積板３２において第Ｎ枚目の紙幣が第１枚目の紙幣と同じ表向きで積み重ねられるようにすることができる。【００４５】
以上の実施例では、紙幣がホッパー３から入金される場合を例示して説明したが、たとえば、入金された紙幣が金種別に紙幣収納庫９へ収納され、紙幣収納庫９から同一金種の紙幣が繰り出されてＮ枚毎に帯封される場合にも、この制御動作が実施される。
＜表裏反転機構＞
図５は、紙幣処理装置１に設けられる表裏反転機構４５を説明するための模式図である。【００４６】
上記実施形態における紙幣処理装置１は、ホッパー３から取り込まれた紙幣の表裏の向きを反転させる機構を有していない装置であったが（図１参照）、このような機構（表裏反転機構４５）を備える構成も考えられる。
その場合、図５を参照して、表裏反転機構４５は、搬送路６にバイパス的に設けられおり、表裏反転機構４５を通る紙幣の表裏を反転させることができる。制御部４０は、紙幣の搬送流路を切り換えて、紙幣が表裏反転機構４５または搬送路６のどちらかへ搬送された後に帯封用集積部１５、１６で集積されるようにすることができる。【００４７】
つまり、表裏反転機構４５を設ければ、集積板３２にＮ−１枚の紙幣が集積された後に集積板３２へ送られる第Ｎ枚目の紙幣の向きが第１枚目の紙幣と一致しない裏向きであっても、その紙幣を反転させ、その紙幣が集積板３２において第１枚目の紙幣と同じ表向きで積み重ねられるようにすることができる。これにより、表裏のどちらか一方に位置する紙幣が表向きとなる紙幣束Ｍをすばやく作成することができる。【００４８】
この発明は、以上説明した実施形態に限定されるものではなく、請求項記載の範囲内において種々の変更が可能である。
たとえば、ホッパー３で入金された紙幣に、上述した第Ｎ枚目の紙幣にふさわしい紙幣が存在しない場合には、紙幣収納庫９にすでに集積された紙幣を用いてもよい。
【図１】
2009118839.tif 000003
【図２】
2009118839.tif 000004
【図３】
2009118839.tif 000005
【図４】
2009118839.tif 000006
【図５】
2009118839.tif 000007
【国際調査報告】
2009118839.tif 000008
2009118839.tif 000009